(57)【要約】【課題】適切な対価の算出基準となるデータを記録できる。【解決手段】太陽光発電システムは、複数の太陽電池モジュール１１０を接続した太陽電池ストリング１０２と、送信装置２１２と、制御部２０７とを含む。送信装置２１２は、太陽電池モジュール１１０が稼動している間、一定の周期で識別情報を送信する。制御部２０７は、太陽電池モジュール１１０の発電時間の情報を保存する。制御部２０７は、送信装置２１２から情報を受信する。制御部２０７は、太陽電池モジュール１１０の発電時間の情報を記録する。制御部２０７は、送信装置２１２が送信した情報を受信すると、記録された情報が表わす時間を送信装置２１２が送信した情報の受信の周期に応じて延長するように、記録された情報を更新する。【選択図】図１
2008153383.tif 000002
【特許請求の範囲】
【請求項１】
複数の太陽電池モジュールを接続した太陽電池ストリングと、
前記太陽電池モジュールが稼動している間、一定の周期で情報を送信する送信装置と、
前記太陽電池モジュールの発電時間の情報を保存する保存装置とを含む太陽光発電システムであって、
前記保存装置は、
前記送信装置から前記情報を受信するための受信手段と、
前記太陽電池モジュールの発電時間の情報を記録するための記録手段と、
前記送信装置が送信した情報を前記受信手段が受信すると、前記記録手段が記録した情報が表わす時間を前記送信装置が送信した情報の受信の周期に応じて延長するように、前記記録手段が記録した情報を更新するための更新手段とを含む、太陽光発電システム。
【請求項２】
前記送信装置は、前記太陽電池モジュールの識別情報を送信する装置を含み、
前記記録手段は、前記太陽電池モジュールそれぞれの発電時間の情報を前記太陽電池モジュールそれぞれの識別情報に対応付けて記録するための手段を含み、
前記更新手段は、前記受信手段が前記識別情報を受信すると、前記発電時間の情報のうち前記識別情報に対応する情報が表わす時間を前記識別情報の受信の周期に応じて延長するように、前記記録手段が記録した情報を更新するための手段を含む、請求項１に記載の太陽光発電システム。
【請求項３】
前記送信装置は、前記太陽電池モジュールにそれぞれ接続され、かつ互いに異なる前記識別情報を送信する複数の装置を含む、請求項２に記載の太陽光発電システム。
【請求項４】
前記複数の装置は、前記太陽電池モジュールから電力の供給を受けている間、前記識別情報を送信する装置を含む、請求項３に記載の太陽光発電システム。
【請求項５】
前記送信装置は、前記複数の太陽電池モジュールの識別情報を一定の周期で一括して送信する装置を含む、請求項２に記載の太陽光発電システム。
【請求項６】
複数の太陽電池モジュールを接続した太陽電池ストリングと、
前記太陽電池モジュールが稼動している間、一定の周期で情報を送信する送信装置と、
前記太陽電池モジュールの発電時間の情報を保存する保存装置とを含む太陽光発電システムの保存装置であって、
前記保存装置は、
前記送信装置から前記情報を受信するための受信手段と、
前記太陽電池モジュールの発電時間の情報を記録するための記録手段と、
前記送信装置が送信した情報を前記受信手段が受信すると、前記記録手段が記録した情報が表わす時間を前記送信装置が送信した情報の受信の周期に応じて延長するように、前記記録手段が記録した情報を更新するための更新手段とを含む、保存装置。
【発明の詳細な説明】
【技術分野】
【０００１】
本発明は、太陽光発電システムおよび保存装置に関し、特に、データを記録することができる太陽光発電システムおよび保存装置に関する。
【背景技術】
【０００２】
火力発電所、自動車、あるいは工場などから放出される二酸化炭素により地球温暖化が進んでいる現代において、二酸化炭素を排出しないクリーンなエネルギ源として太陽光発電システムが注目されている。
【０００３】
太陽光発電システムは、一般家庭の屋根や、工場の敷地などに分散電源として設置される。太陽光発電システムは、発電した電力を商用系統に連系し逆潮流させる機能を有する。
【０００４】
通常、太陽光発電システムは、太陽光が太陽電池に注がれているときは商用系統に逆潮流し、夜などの太陽光が太陽電池に注がれていないときは商用系統から解列されるよう制御される。これらの制御は、一度設置すると自動的に実施される。
【０００５】
太陽光発電システムを構成する太陽電池モジュールは、通常１０年以上動作を続けることができる。
【０００６】
図６はこのような太陽光発電システムの構成例を示す。太陽電池ストリング１０２により発電された直流電力は、電力変換器１０４により電圧変換し交流電力に変換される。電力変換器１０４は、開閉器１０５を介して商用系統１０６に接続されている。電力変換器１０４と開閉器１０５を制御するための制御部１０７が設置されている。
【０００７】
図６の太陽光発電システムにおいて、制御部１０７は、太陽電池ストリング１０２のいずれかが発電を始めたことを検出すると、電力変換器１０４を起動するとともに、開閉器１０５を閉じる。
【０００８】
なお、以上本発明についての従来の技術を、出願人の知得した一般的技術情報に基づいて説明したが、出願人の記憶する範囲において、出願前までに先行技術文献情報として開示すべき情報を出願人は有していない。
【発明の開示】
【発明が解決しようとする課題】
【０００９】
しかし、図６に示す太陽光発電システムでは、中古市場における売買が難しいという問題点がある。
【００１０】
太陽光発電システムは、長期に渡って発電を続けることが可能である。そのようなことが可能なので、太陽光発電システムについての所有権が現在の使用者から別の使用者に渡ることが考えられる。現在の使用者から別の使用者に所有権が渡る場合、対価を支払う必要が通常ある。
【００１１】
しかしながら、現行の太陽光発電システムの取引において、対価の算出基準は明確でない。このため、太陽光発電システムを適切な対価で売買することは容易ではない。太陽光発電システムに含まれる太陽電池モジュールの一部が交換されている場合、対価の算出は特に難しい。太陽電池モジュールが取引される場合にも、対価の算出が難しいという問題
は存在する。
【００１２】
本発明は上述の問題点を解決するためになされたものであって、その目的は、適切な対価の算出基準となるデータを記録できる太陽光発電システムおよび保存装置を提供することにある。
【課題を解決するための手段】
【００１３】
上記目的を達成するために、本発明のある局面に従うと、太陽光発電システムは、複数の太陽電池モジュールを接続した太陽電池ストリングと、送信装置と、保存装置とを含む。送信装置は、太陽電池モジュールが稼動している間、一定の周期で情報を送信する。保存装置は、太陽電池モジュールの発電時間の情報を保存する。保存装置は、受信手段と、記録手段と、更新手段とを含む。受信手段は、送信装置から情報を受信する。記録手段は、太陽電池モジュールの発電時間の情報を記録する。更新手段は、送信装置が送信した情報を受信手段が受信すると、記録手段が記録した情報が表わす時間を送信装置が送信した情報の受信の周期に応じて延長するように、記録手段が記録した情報を更新する。
【００１４】
また、上述の送信装置は、太陽電池モジュールの識別情報を送信する装置を含むことが望ましい。併せて、記録手段は、太陽電池モジュールそれぞれの発電時間の情報を太陽電池モジュールそれぞれの識別情報に対応付けて記録するための手段を含むことが望ましい。併せて、更新手段は、受信手段が識別情報を受信すると、発電時間の情報のうち識別情報に対応する情報が表わす時間を識別情報の受信の周期に応じて延長するように、記録手段が記録した情報を更新するための手段を含むことが望ましい。
【００１５】
もしくは、上述の送信装置は、太陽電池モジュールにそれぞれ接続され、かつ互いに異なる識別情報を送信する複数の装置を含むことが望ましい。
【００１６】
もしくは、上述した複数の装置は、太陽電池モジュールから電力の供給を受けている間、識別情報を送信する装置を含むことが望ましい。
【００１７】
もしくは、上述した送信装置は、複数の太陽電池モジュールの識別情報を一定の周期で一括して送信する装置を含むことが望ましい。
【００１８】
本発明の他の局面に従うと、保存装置は、複数の太陽電池モジュールを接続した太陽電池ストリングと、送信装置と、保存装置とを含む太陽光発電システムの保存装置である。送信装置は、太陽電池モジュールが稼動している間、一定の周期で情報を送信する。保存装置は、太陽電池モジュールの発電時間の情報を保存する。保存装置は、受信手段と、記録手段と、更新手段とを含む。受信手段は、送信装置から情報を受信する。記録手段は、太陽電池モジュールの発電時間の情報を記録する。更新手段は、送信装置が送信した情報を受信手段が受信すると、記録手段が記録した情報が表わす時間を送信装置が送信した情報の受信の周期に応じて延長するように、記録手段が記録した情報を更新する。
【発明の効果】
【００１９】
本発明に係る太陽光発電システムおよび保存装置は、適切な対価の算出基準となるデータを記録できる。
【発明を実施するための最良の形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
<第１の実施の形態>
以下、本発明の第１の実施の形態に係る太陽光発電システムについて説明する。
【００２２】
図１は、本実施の形態に係る太陽光発電システムの構成を表わす図である。図１を参照して、本実施の形態に係る太陽光発電システムは、複数の太陽電池ストリング１０２と、それらの太陽電池ストリング１０２から発電される電力を有効な電力形態に変換する電力変換器１０４と、商用系統１０６との接続点を解列することのできる開閉器１０５と、電力変換器１０４と開閉器１０５とを制御する制御部２０７と、通信線２０８と、監視部２０９と、通信部２１０と、複数の送信装置２１２とを含む。
【００２３】
本実施の形態の場合、太陽電池ストリング１０２は、単結晶シリコン系の太陽電池モジュール１１０を８つ直列に接続することにより構成されるものである。電力変換器１０４は、太陽電池ストリング１０２それぞれからの直流電力を交流電力に変換するのみでなく、制御部２０７の最大電力点追従制御により、各太陽電池ストリング１０２の発電電力を最大にする。開閉器１０５は、パワーリレーとする。制御部２０７は、マイクロコンピュータを搭載する。制御部２０７は、太陽電池モジュール１１０と通信する機能、開閉のための制御信号を開閉器１０５へ送信する機能、および電力変換器１０４を制御する機能を有する。通信線２０８は、送信装置２１２から監視部２０９へ信号を送信するための媒体である。通信線２０８は、ＲＳ（Recommended Standard）４８５対応ツイストペアケーブルである。通信線２０８における通信速度は９６００ｂｐｓとする。監視部２０９は、送信装置２１２から信号を受信し、通信部２１０へ送信する。通信部２１０は、監視部２０９から受信した信号をまとめて時分割で制御部２０７に送信する。送信装置２１２は、各太陽電池モジュール１１０に接続され、太陽電池モジュール１１０から電力の供給を受けている間、ＩＤすなわち識別情報を表す信号を送信する。なお、送信装置２１２が太陽電池モジュール１１０に内蔵されていても良いことは言うまでもない。電力変換器１０４と開閉器１０５と制御部２０７と通信部２１０は１つのパワーコンディショナに含まれる。
【００２４】
図２は、制御部２０７が搭載するマイクロコンピュータの構成を表わす図である。図２を参照して、制御部２０７が搭載するマイクロコンピュータは、ＣＰＵ（Central Processing Unit）２２０と、ＲＡＭ（Random Access Memory）２２２と、ＲＯＭ（Read Only Memory）２２４と、キーボード２２６と、ディスプレイ２２８と、メモリ駆動装置２３０と、通信インターフェイス２３２とを含む。
【００２５】
ＣＰＵ２２０は、演算を実施する。ＣＰＵ２２０は、マイクロコンピュータの各部を制御するユニットでもある。ＲＡＭ２２２は、ＣＰＵ２２０が利用するデータを一時的に記憶する。ＲＯＭ２２４は、ＣＰＵ２２０が実行するプログラムなどを記憶する。キーボード２２６は、マイクロコンピュータの管理者による操作に応じた信号を生成することにより、マイクロコンピュータの管理者が情報を入力するための装置である。ディスプレイ２２８は、液晶パネルなどにより構成された、情報を表示する装置である。メモリ駆動装置２３０は、メモリーカード２４０に記録されたデータやプログラムを読み出す。メモリ駆動装置２３０は、メモリーカード２４０にデータを記録する装置でもある。通信インターフェイス２３２は、自らに接続された機器と通信する。本実施の形態において、送信装置２１２が送信したＩＤを受信する受信部として動作するのはこの通信インターフェイス２３２である。監視部２０９と通信部２１０とは、ＩＤを中継する中継装置に過ぎない。
【００２６】
本実施の形態においてメモリーカード２４０に記録されるデータの一種に、太陽電池モジュール１１０の通算使用時間のデータがある。メモリーカード２４０には、送信装置２１２が送信するＩＤに対応付けられた、時間のデータが記録されている。
【００２７】
図３は、制御部２０７が実行する時間データの更新処理を表わすフローチャートである
。図３を参照して、以上のような構造に基づく、太陽光発電システムの動作について説明する。
【００２８】
太陽電池ストリング１０２に光があたり太陽電池モジュール１１０が発電を開始すると、送信装置２１２は、送信装置２１２ごとに予め定められたＩＤを表わす発電信号を繰り返し監視部２０９に送信する。本実施の形態の場合、送信装置２１２は、一定の周期で発電信号を監視部２０９に送信する。その周期は１分間である。各送信装置２１２が送信した発電信号は監視部２０９に一斉に送信される。
【００２９】
発電信号を受信した監視部２０９は、発電信号を受信すると、受信した発電信号が表わすＩＤと同一のＩＤを表わす受理信号を順次通信部２１０にＲＳ４８５通信線を介して送信する。この処理により、監視部２０９は、ＩＤを中継する中継装置のみならず、ＩＤの送信順序を制御する装置として動作することとなる。受理信号の送信の順序は監視部２０９の設計者などによって任意に定められる。
【００３０】
通信部２１０は、ＲＳ４８５通信線を介した差動信号である受理信号を監視部２０９から受信すると、その受理信号をシングルエンドの信号に変換した上で、デジタル化された受理信号を制御部２０７に送信する。この間、制御部２０７は、受理信号を待ち受けている（ステップＳ２５０）。
【００３１】
制御部２０７は、図示しない回路からの信号により、太陽電池モジュール１１０が発電を開始したことを検知する。発電が開始されたことを検知すると、制御部２０７は、電力変換器１０４へ運転開始指示を出すとともに、開閉器１０５を閉じる（ステップＳ２５２）。併せて、制御部２０７は、メモリーカード２４０に記憶された時間データのうち、受信した受理信号が表わすＩＤに対応付けられたデータを更新する（ステップＳ２５４）。本実施の形態の場合、この更新により、そのデータが表わす時間は１分間増加する。１分間増加するのは、送信装置２１２が１分ごとに発電信号を送信しているためである。送信装置２１２が２分ごとに発電信号を送信しているのであれば、この更新により増加する時間は２分となる。
【００３２】
その後、各送信装置２１２が送信した発電信号を受信すると、監視部２０９は、通信部２１０を介して受理信号を再び制御部２０７に送信する。制御部２０７はその受理信号を受信する（ステップＳ２５６）。受理信号を受信すると、制御部２０７は、メモリーカード２４０に記憶された時間データのうち、その受理信号が表わすＩＤに対応付けられたデータを更新する（ステップＳ２５８）。この場合にも、ステップＳ２５４と同様のルールに従ってデータが更新される。
【００３３】
データが更新されると、制御部２０７は、受理信号の送信が途絶したか否かを判断する（ステップＳ２６０）。制御部２０７のＣＰＵ２２０は、自らが内蔵するタイマが検出した時間に基づき、受理信号を一定時間受信しなければ、受理信号の送信が途絶したと判断する。受理信号の送信が途絶していなければ（ステップＳ２６０にてＮＯ）、ステップＳ２５６からステップＳ２６０までの処理が繰り返される。
【００３４】
その後、太陽電池ストリング１０２に光があたらなくなり、太陽電池モジュール１１０が発電を停止すると、送信装置２１２は発電信号を送信しなくなる。発電信号の送信が途絶えると、監視部２０９は受理信号の送信を停止する。受理信号の送信が停止されると、メモリーカード２４０に記憶された時間データは更新されなくなる。また、制御部２０７は、受理信号の送信が途絶したと判断するので（ステップＳ２６０にてＹＥＳ）、制御部２０７は、電力変換器１０４へ運転停止指示を出すとともに、開閉器１０５を開く（ステップＳ２６２）。
【００３５】
以上のようにして、本実施の形態に係る太陽光発電システムは、太陽光発電システムの発電時間のデータを記録する。太陽光発電システムの対価の算出基準の１つとして発電時間が有効であると考えられる。供用期間が同一の太陽光発電システムであっても、多くの期間において発電を継続した太陽光発電システムとほとんど発電を行わなかった太陽光発電システムとでは残存する価値が異なると考えられるためである。発電時間のデータは、太陽光発電システムに残存する価値を適切に判断するための重要なデータとなる。
【００３６】
また、本実施の形態に係る太陽光発電システムは、ある決められた周期で発電信号や受理信号を通信するので、発電時間を確実に容易に記録することができる。
【００３７】
その上、本実施の形態に係る太陽光発電システムは、太陽電池モジュール１１０ごとの発電時間のデータを記録する。発電時間のデータが太陽電池モジュール１１０ごとに記録されているので、そのデータは、太陽電池モジュール１１０のいずれかが供用開始後に交換されていたとしても、太陽光発電システムに残存する価値を適切に判断するための重要なデータであり続ける。その結果、適切な対価の算出基準となるデータを記録できる太陽光発電システムおよび保存装置を提供することができる。
【００３８】
さらに、本実施の形態の場合、送信装置２１２は太陽電池モジュール１１０にそれぞれ接続され、かつ互いに異なるＩＤを送信する。これにより、各太陽電池モジュール１１０の発電時間を容易に特定できる。
【００３９】
その上、送信装置２１２は、太陽電池モジュール１１０から電力の供給を受けている間、ＩＤを送信する装置なので、起動や停止のための部品を省くことができる。そのような部品を省くことができるので、製造コストが安くなり、かつ省かれた部品に起因する故障が少なくなる分耐久性が向上する。
【００４０】
なお、第１の変形例として、送信装置２１２は、太陽電池モジュール１１０のいずれか１台にのみ取り付けられていても良い。この場合、メモリーカード２４０に記録される発電時間の情報は、１種類だけである。その送信装置２１２が識別情報（この場合、送信される情報は太陽電池モジュール１１０を識別できる情報でなくても良い）を送信すると、上述の場合と同様にして発電時間の情報は更新される。
【００４１】
<第２の実施の形態>
以下、本発明の第２の実施の形態に係る太陽光発電システムについて説明する。
【００４２】
図４は、本実施の形態にかかる太陽光発電システムの構成を表わす図である。図４を参照して、本実施の形態にかかる太陽光発電システムは、複数の太陽電池ストリング１０２と、電力変換器１０４と、開閉器１０５と、太陽電池ストリング１０２の出力端子にそれぞれ接続され、かつ太陽電池ストリング１０２が発電した電力の電圧が閾値を越えると発電信号を送信する電圧センサ３０４と、制御部３０７と、監視部３０９と、通信部３１０とを含む。
【００４３】
制御部３０７は、第１の実施の形態に係る制御部２０７と同一のマイクロコンピュータを搭載する。制御部３０７は、電圧センサ３０４から発電信号を受信する機能、開閉のための制御信号を開閉器１０５へ送信する機能、電力変換器１０４を制御する機能、および通信部３１０を介して受理信号を監視部３０９に送信する機能を有する。本実施の形態の場合、監視部３０９に対して受理信号を送信するのは、制御部３０７である。電圧センサ３０４は、太陽電池モジュール１１０が発電中であることを検知するセンサに過ぎない。監視部３０９は、第１の実施の形態に係る制御部２０７と同一のマイクロコンピュータを
搭載する。本実施の形態の場合、監視部３０９の通信インターフェイス２３２がＩＤを受信する受信部として動作する。制御部３０７と監視部３０９とは、１台のコンピュータハードウェアによって実現されても良く、その場合通信部３１０は不要であるが、本実施の形態の場合、制御部３０７と監視部３０９とは、互いに異なる２台のコンピュータハードウェアによって実現されていることとする。監視部３０９のメモリ駆動装置２３０は、通信部３１０が送信した受理信号を受信すると、メモリカード２４０に記録されている時間データを更新する。通信部３１０は、制御部３０７の制御に応じて、制御部３０７が出力した受理信号を監視部３０９に送信する。
【００４４】
各電圧センサ３０４は、図示しない信号線を介して制御部３０７の通信インターフェイス２３２に接続されている。各電圧センサ３０４が接続される通信インターフェイス２３２のポートは、電圧センサ３０４ごとに異なっている。これにより、制御部３０７は、発電信号の送信元を特定することができる。
【００４５】
なお、本実施の形態の場合、電力変換器１０４と開閉器１０５と制御部３０７と通信部３１０とは１つのパワーコンディショナに含まれる。
【００４６】
また、監視部３０９は、制御部３０７の設置場所にあってもよく、制御部３０７からはなれた場所にあってもよい。
【００４７】
また、その他のハードウェア構成については前述の第１の実施の形態と同じである。それらについての機能も同じである。したがって、それらについての詳細な説明はここでは繰返さない。
【００４８】
図５は、制御部３０７が実行する受理信号の送信処理を表わすフローチャートである。図５を参照して、以上のような構造に基づく、太陽光発電システムの動作について説明する。なお、図５に示すフローチャートの中で、前述の図３に示した処理は同じステップ番号を付してある。それらの処理も同じである。したがって、それらについての詳細な説明はここでは繰り返さない。
【００４９】
太陽電池ストリング１０２に光があたり太陽電池モジュール１１０が発電を開始すると、電圧センサ３０４は、制御部３０７に送信する発電信号のレベルを「高」にする。これにより、制御部３０７は太陽電池モジュール１１０の発電の開始を検知できる。
【００５０】
制御部３０７は、発電信号のレベルが「高」になることを待ち受ける（ステップＳ３５０）。上述したように、発電信号を受信したポートに基づいて、制御部３０７は発電信号の送信元を特定できる。
【００５１】
制御部３０７は、発電信号のレベルにより、各太陽電池モジュール１１０が発電を開始したことを検知する。発電が開始されたことを検知すると、ステップＳ２５２の処理を経て、その発電信号の送信元に対応するＩＤを表わす受理信号を通信部３１０に順次出力する。本実施の形態の場合、受理信号が表わすＩＤは１種類ではない。電圧センサ３０４が太陽電池ストリング１０２ごとに設けられている。この太陽電池ストリング１０２を構成する太陽電池モジュール１１０は８枚である。このため、受理信号が表わすＩＤはそれらの太陽電池モジュール１１０にそれぞれ対応する、８種類のＩＤである。その受理信号が出力されると、制御部３０７は、その信号を送信するように通信部３１０を制御する。これにより、通信部３１０は受理信号を送信する（ステップＳ３５４）。なお、本実施の形態の場合、ＩＤの組み合わせが同一の受理信号が送信される周期は１分間である。監視部３０９は、送信された受理信号を受信する。監視部３０９は、メモリーカード２４０に記憶された時間データのうち、その受理信号が表わす８種類のＩＤにそれぞれ対応付けられ
た８種類のデータを更新する。本実施の形態の場合、この更新により、それらのデータが表わす時間は１分間増加する。１分間増加するのは、制御部３０７が１分ごとに受理信号を送信しているためである。制御部３０７が２分ごとに受理信号を送信しているのであれば、この更新により増加する時間は２分となる。場合によっては、制御部３０７が１分ごとに受理信号を送信している間、この更新により増加する時間が２分となってもよい。制御部３０７が発電信号を送信する周期とこの更新により増加する時間との間に対応関係があればよい。ただし、本実施の形態においては、上述したルールに従ってデータは更新される。
【００５２】
その後、各電圧センサ３０４は、発電信号を引き続き制御部３０７に送信する。制御部３０７はその発電信号を受信する（ステップＳ３５６）。制御部３０７は、監視部３０９へ受理信号を上述した周期で送信させる（ステップＳ３５８）。監視部３０９は、メモリーカード２４０に記憶された時間データのうち、その受理信号が表わすＩＤに対応付けられたデータを更新する。
【００５３】
受理信号が再度送信されると、制御部３０７は、発電信号が「低」になったか否かを判断する（ステップＳ３６０）。制御部３０７のＣＰＵ２２０は、発電信号が一定時間「低」のままであった場合に、発電信号が「低」になったと判断する。発電信号が一定時間「低」のままであったか否かは、ＣＰＵ２２０自身が内蔵するタイマが検出した時間に基づき判断される。発電信号が「低」になっていない場合は（ステップＳ３６０にてＮＯ）、ステップＳ３５６からステップＳ３６０までの処理が繰り返される。
【００５４】
その後、太陽電池ストリング１０２に光があたらなくなり、太陽電池モジュール１１０が発電を停止すると、電圧センサ３０４が送信する発電信号は「低」になる。そうなると、制御部３０７は、発電信号が「低」になったと判断するので（ステップＳ３６０にてＹＥＳ）、制御部３０７は、電力変換器１０４へ運転停止指示を出すとともに、開閉器１０５を開く（ステップＳ２６２）。また、制御部３０７は受理信号の送信を停止する。受理信号の送信が停止されると、メモリーカード２４０に記憶された時間データは更新されなくなる。
【００５５】
また、ストリングごとの電圧を検出する代わりに、電流を検出して発電していると判断してもよい。更に電圧と電流を検出し、それらの積算値である電力が閾値以上になっている状態を発電していると判断してもよい。
【００５６】
以上のようにして、本実施の形態に係る太陽光発電システムは、太陽光発電システムの発電時間のデータを記録する。太陽光発電システムの対価の算出基準の１つとして発電時間が有効であると考えられる。供用期間が同一の太陽光発電システムであっても、多くの期間において発電を継続した太陽光発電システムとほとんど発電を行わなかった太陽光発電システムとでは残存する価値が異なると考えられるためである。発電時間のデータは、太陽光発電システムに残存する価値を適切に判断するための重要なデータとなる。
【００５７】
また、本実施の形態に係る太陽光発電システムは、太陽電池ストリング１０２ごとにまとめて発電時間を管理するので、太陽電池モジュール１１０ごとの発電時間を少ない配線で通信させることができる。
【００５８】
また、本実施の形態に係る太陽光発電システムは、ある決められた周期で発電信号や受理信号を通信するので、発電時間を確実に容易に記録することができる。
【００５９】
その結果、適切な対価の算出基準となるデータを記録できる太陽光発電システムおよび保存装置を提供することができる。
【００６０】
なお、第１の変形例として、電圧センサ３０４は、太陽電池ストリング１０２のいずれか１台にのみ取り付けられていても良い。この場合、メモリーカード２４０に記録される発電時間の情報は、１種類だけである。その電圧センサ３０４が識別情報（この場合、送信される情報は太陽電池モジュール１１０を識別できる情報でなくても良い）を送信すると、上述の場合と同様にして発電時間の情報は更新される。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】本発明の第１の実施の形態に係る太陽光発電システムの構成を表わす図である。
【図２】本発明の第１の実施の形態に係る制御部が搭載するマイクロコンピュータの構成を表わす図である。
【図３】本発明の第１の実施の形態に係る時間データの更新処理の制御の手順を示すフローチャートである。
【図４】本発明の第２の実施の形態に係る太陽光発電システムの構成を表わす図である。
【図５】本発明の第２の実施の形態に係る受理信号の送信処理の制御の手順を示すフローチャートである。
【図６】一般的な太陽光発電システムの構成例を示す図である。
【符号の説明】
【００６３】
１０２  太陽電池ストリング、１０４  電力変換器、１０５  開閉器、１０６  商用系統、１０７，２０７，３０７  制御部、１１０  太陽電池モジュール、２０８  通信線、２０９，３０９  監視部、２１０，３１０  通信部、２１２  送信装置、２２０  ＣＰＵ、２２２  ＲＡＭ、２２４  ＲＯＭ、２２６  キーボード、２２８  ディスプレイ、２３０  メモリ駆動装置、２３２  通信インターフェイス、２４０  メモリーカード、３０４
電圧センサ。
【図１】
2008153383.tif 000003
【図２】
2008153383.tif 000004
【図３】
2008153383.tif 000005
【図４】
2008153383.tif 000006
【図５】
2008153383.tif 000007
【図６】
2008153383.tif 000008